(57)【要約】本発明は、折り機の折り胴であって、少なくとも１つの折り部材及び伝動装置ユニットが設けられており、該伝動装置ユニットが、折り胴の回転軸に対して同軸的に配置された少なくとも１つの歯車を有しており、該歯車が、軸方向で見て少なくとも２つの位置に配置可能である。
2005527443.tif 000002
【特許請求の範囲】
【請求項１】
折り機の折り胴であって、支持体に配置された少なくとも１つの折り部材（０４）及び伝動装置ユニット（１２）が設けられており、該伝動装置ユニットが、支持体の回転軸に対して同軸的に配置された少なくとも１つの中心歯車（１８；１９）を有しており、該歯車（１８）が、軸方向で見て少なくとも２つの位置に配置可能であり、中心歯車（１８，１９）が、第１の歯車ディスク（１８）及び第２の歯車ディスク（１９）を有している形式のものにおいて、
第１の歯車ディスク（１８）及び第２の歯車ディスク（１９）が、それぞれ相補的な歯列（２３；２４）を支持しており、第１の歯車ディスク（１８）が、前記歯列（２３；２４）を選択的に互いに係合状態にもたらすため若しくは係合外にもたらすために、軸方向でシフト可能であることを特徴とする、折り機の折り胴。
【請求項２】
折り胴が、一方の位置ではコレクト・ラン形式を有しており且つ他方の位置ではストレート・ラン形式を有している、請求項１記載の折り胴。
【請求項３】
折り機の折り胴であって、支持体に配置された少なくとも１つの折り部材（０４）及び伝動装置ユニット（１２）が設けられており、該伝動装置ユニットが、支持体の回転軸に対して同軸的に配置された少なくとも１つの中心歯車（１８；１９）を有しており、該歯車（１８；１９）が、一方の運転形式では折り胴とは異なる回転数を有している形式のものにおいて、
歯車（１８）が、他方の運転形式では折り胴の回転数を有していることを特徴とする、折り機の折り胴。
【請求項４】
支持体の回転軸（０９，１４，１６）に対して同軸的に配置された調節装置が設けられている、請求項１又は３記載の折り胴。
【請求項５】
折り機の折り胴であって、支持体に配置された少なくとも１つの折り部材（０４）が設けられており、該折り部材が、第１の運転形式では第１の回転数で回転し且つ第２の運転形式では第１の回転数とは異なる回転数で回転するか又は停止させられ、しかも、折り部材（０４）の回転軸（０９，１４，１６）が、折り胴の回転軸に対して偏心的に配置されており、折り部材（０４）の回転数を変更するための調節装置が、支持体の回転軸（０９，１４，１６）に対して同軸的に配置されている形式のものにおいて、
調節装置が、少なくとも部分的に軸ピン内に配置されていることを特徴とする、折り機の折り胴。
【請求項６】
第１の運転形式がコレクト・ランであり且つ第２の運転形式がストレート・ランである、請求項３又は５記載の折り胴。
【請求項７】
周方向で見て少なくとも２つの折り部材（０４）が配置されており、伝動装置ユニット（１２）がケーシング（１７）を有している、請求項１，３又は５記載の折り胴。
【請求項８】
各折り部材（０４）に各１つの伝動装置群（２１，２２；２６，２７）が対応配置されている、請求項１，３又は５記載の折り胴。
【請求項９】
中心歯車（１８，１９）が、第１の歯車ディスク（１８）及び第２の歯車ディスク（１９）を有している、請求項３記載の折り胴。
【請求項１０】
各歯車ディスク（１８；１９）が、それぞれ別の伝動装置群（２１，２２；２６，２７）と協働する、請求項９記載の折り胴。
【請求項１１】
伝動装置群（２１，２２；２６，２７）が、それぞれ同軸的な歯車ディスク軸（１６；１４）と結合されており且つこれらの歯車ディスク軸（１６；１４）のシフトによって互いに相対的に軸方向で選択的に相互に結合可能及び結合解除可能である、請求項１０記載の折り胴。
【請求項１２】
第１の歯車ディスク（１８）及び第２の歯車ディスク（１９）が、それぞれ相補的な歯列（２３；２４）を支持しており、第１の歯車ディスク（１８）が、前記歯列（２３；２４）を選択的に互いに係合状態にもたらすため若しくは係合外にもたらすために、軸方向でシフト可能である、請求項９記載の折り胴。
【請求項１３】
第１の歯車ディスク（１８）が、ケーシング（１７）の歯列（３１）に対して相補的な歯列（２９）を有しており、更に、第１の歯車ディスク（１８）が、前記歯列（２９；３１）を選択的に互いに係合状態にもたらすため若しくは係合外にもたらすために、軸方向でシフト可能である、請求項９記載の折り胴。
【請求項１４】
歯車ディスク（１８；１９）の歯列（２３；２４；２９）が、それぞれ１端面に取り付けられている、請求項９，１２又は１３記載の折り胴。
【請求項１５】
歯車ディスク軸（１６；１４）が、胴ジャケット（０１）の回転軸に対して平行且つ偏心的に延在している、請求項１から１４までのいずれか１項記載の折り胴。
【請求項１６】
折り部材（０４）が、折りブレード（０４）又は折りフラップ（０４）として形成されている、請求項１，３，５，７又は８記載の折り胴。
【請求項１７】
各折りブレード（０４）が、一方の伝動装置群（１９，２１，２２；１８，２６，２７）を介して、対応配置された中心歯車（１８，１９）の歯車ディスク（１８，１９）の回転に結合されて回転可能な折りブレード軸（１３；２８）によって支持されている、請求項１から１６までのいずれか１項記載の折り胴。
【請求項１８】
各伝動装置群（１９，２１，２２；１８，２６，２７）が、対応配置された中心歯車ディスク（１８；１９）の１回転を、対応配置された折りブレード軸（１３；２８）の小さな整数回（ｎ＞１）の回転に変換する、請求項１７記載の折り胴。
【請求項１９】
２つの歯車ディスク（１８；１９）の歯列（２３；２４）が、ｍ方向で互いに係合可能であり、この場合、ｍはｎの約数である、請求項１２又は１８記載の折り胴。
【請求項２０】
第２の歯車ディスク（１９）が、折り機のフレームに関連して相対回動不能である、請求項１から１９までのいずれか１項記載の折り胴。
【請求項２１】
折りブレード（０４）が、中心歯車（１８，１９）の回転と結合された、胴ジャケット（０１）における進入及び進出運動のために駆動可能である、請求項１６記載の折り胴。
【請求項２２】
折り胴と協働するように２つの折りローラが配置されており、折り胴が回転折り装置内に配置されている、請求項１，３又は５記載の折り胴。
【請求項２３】
調節装置が、少なくとも部分的に軸ピン内に配置されている、請求項４記載の折り胴。
【請求項２４】
折り胴の回転軸及び折り部材（０４）の支持体の回転軸（０９，１４，１６）が、互いに偏心的に配置されている、請求項１又は５記載の折り胴。
【請求項２５】
折り部材（０４）が、支持体の回転軸（０９，１４，１６）に対して偏心的に配置された別の回転軸（１３；２８）に回転可能に配置されている、請求項２４記載の折り胴。
【発明の詳細な説明】
【技術分野】
【０００１】
本発明は、請求項１，３又は５の上位概念に記載の形式の折り機の折り胴に関する。
【０００２】
折り胴の課題は、折り機で折り畳もうとする製品を一時的に搬送し且つ折畳みに適した向きで、折り機の構成形式に応じて折りフラップ胴の折りフラップに押し込むか、又は２つの折りローラに引き渡すことである。これらの折りローラは製品を所望の折畳み線で、当該折りローラ間に形成されたギャップに引き込んで折り畳む。この目的のためには、折り胴は複数の可動の折りブレードを有しており、これらの折りブレードは、折り畳もうとする製品を折りフラップ又は２つの折りローラ間のギャップに導入するために、折り胴のジャケットに設けられた開口を通って進出可能である。
【０００３】
折りブレードの運動は、伝動装置を介して折り胴の回転と結合されている。２つの折りブレードの内の一方に関して結合解除可能であり且つこの折りブレードが停止可能な折り機が公知である。この停止によって、いわゆるコレクト・ランが可能になる。製品は、所定の引渡し箇所で折り胴に引き渡され、この折り胴に沿って、折りブレードによって突き通されること無く完全に１回転する。製品が引渡し箇所を改めて通過すると、最初の製品の上に第２の製品が置かれて、両製品は一緒に折り胴によって引き続き案内される。両製品が一緒に折りブレードによって突き通される場合、両製品は一緒に折り畳まれる。
【０００４】
ドイツ連邦共和国特許第１９５１１０５４号明細書には、折り胴の折りブレードのための駆動装置が開示されており、この折りブレードの駆動は中心歯車を介して行われる。
【０００５】
本発明の課題は、折り機の折り胴を提供することである。
【０００６】
この課題は、本発明に基づき請求項１，３又は５の特徴部に記載の構成によって解決される。
【０００７】
２つの歯車ディスクの内の一方は固定的であるのに対して、他方の歯車ディスクは、選択された製品に応じて回転する。
【０００８】
結合のためには、折り胴は規定された位置で停止し続ける。それというのも、歯結合は一義的だからである。択一的に、歯結合は折り胴の回転時にスリップしながら係合してよい。
【０００９】
これにより、ストレート・ランからコレクト・ランへの切換えが、従来の構造を用いた場合よりも迅速且つ簡単に可能である。
【００１０】
ストレート・ランに必要とされる第１の歯車ディスクと第２の歯車ディスクとの結合のために、これらの第１の歯車ディスク及び第２の歯車ディスクには、有利には相補的な歯列が装備されており、これらの歯列は、第１の歯車ディスクの軸方向シフトによって係合状態にもたらすことができるか、若しくは係合外にもたらすことができる。
【００１１】
前記歯列は、例えば不均等な歯間隔又は歯幅に基づいて、２つの歯車ディスクの均等に配分された小さな数ｍの回転位置においてのみ、互いに係合可能であるように設計されている。前記の数ｍは、伝動装置群の伝達比に関連している。伝動装置ユニットのフレームが不動に保持されると仮定した場合、伝動装置群は中心歯車の１回転を、折りブレードの整数ｎ回の回転に変換するので、ｍは、１又はｎを含むあらゆる任意の整数の約数であってよい。これにより、ストレート・ランへの戻し切換は、その前のコレクト・ランにおいて停止された折りブレードが、所定の正しい位相位置に位置する場合にしか行われないということが保証される。
【００１２】
特に、唯一の一義的な位置を規定することができる。
【００１３】
有利には、第１の歯車ディスクは、伝動装置ユニットのフレームに設けられた歯列に対して相補的であり且つ第１の歯車ディスクのシフトによってこの第１の歯車ディスクと係合可能な別の歯列を有している。この歯列は、コレクト・ランにおいて第１の歯車ディスクに結合された折りブレードを係止するために役立つ。当該の歯列は、多数の回転位置で互いに係合可能なので、ストレート・ランからコレクト・ランへの切換を、折り胴の任意の向きで行うことが可能である。
【００１４】
以下に、本発明の実施例を図面につき詳しく説明する。
【００１５】
図１に示した折り胴の胴ジャケット０１には、３つのスリット群０２がそれぞれ周方向で見て１２０°の角度間隔をあけて形成されている。図１の上側に位置するスリット群０２に接して、複数の突出した突出部０３が示されており、これらの突出部０３は、例えば折りブレード０４等の折り部材０４の部分である。折りブレード０４は支持体に配置されており、この支持体は、図２に関連してより詳しく説明する。
【００１６】
胴ジャケット０１には、折り胴に沿って連行される製品を保持するためのグリッパ又は穿刺針条片等の、別の機能群が配置されていてよい。これらの機能群は、図面を見やすくするために図１には図示せず且つ説明もしない。それというのも、当該の機能群は当業者には公知であり且つ本発明によって改良されるものではないからである。
【００１７】
胴ジャケット０１の端面には、この胴ジャケット０１の長手方向軸線に対して同軸的な広い開口０７を備えた２つのフランジ０６が位置している。前記開口０７には軸部０８が一体成形されており、この軸部０８は、折り胴を折り機のフレーム（図示せず）に回転可能に支承するために役立つ。
【００１８】
折り胴の内部構造を支持する軸０９は、開口０７を通って偏心的に延びている。
【００１９】
図２に示したように、軸０９は、折り胴の内部で逆方向に突出した２つのアーム１１と伝動装置ユニット１２とを支持しており、これらのアーム１１と伝動装置ユニット１２とは、軸０９に対して平行な軸を中心として回転可能な２本の折りブレード軸１３；２８を支持している。伝動装置ユニット１２のケーシングは、図２において軸０９の図面手前側の区分と不動に結合されており且つ折り胴の内部で該折り胴と一緒に回転可能である。図２の斜視図において伝動装置ユニット１２の図面奥側では、軸０９が軸区分１４によって延長されており、この軸区分１４は、図３との関連において明らかになる理由に基づいて、第２の歯車ディスク軸１４と呼ばれる。この第２の歯車ディスク軸１４は、折り機のサイドプレートに回転不能に組み込むために設けられている。第２の歯車ディスク軸１４の軸方向中空室を通って、第１の軸区分１６、即ちいわゆる第１の歯車ディスク軸１６が延びている。
【００２０】
図３には、伝動装置ユニット１２の内部構成が示されている。２本の歯車ディスク軸１６；１４は、回転可能にケーシング１７又は伝動装置ユニット１２のフレームの開口を通って貫通案内されており且つそれぞれ第１の歯車ディスク１８若しくは第２の歯車ディスク１９を支持している。第２の歯車ディスク１９は、第２の歯車ディスク軸１４と不動に結合されているので、軸０９の軸線を中心とした伝動装置ユニット１２の回転には追従しない。従って、第２の歯車ディスク１９は、伝動装置ユニット１２が回転した場合、ケーシング１７と結合された軸を中心として回転可能な中間歯車２１と、折りブレード軸１３に固定された歯車２２とから形成された伝動装置群を駆動する。伝動装置ユニット１２が軸０９の軸線を中心として回転する間に、折りブレード軸１３は軸０９を中心とした円形軌道上を運動すると同時に、当該折りブレード軸１３自体の軸線を中心として回転する。この場合、折りブレード軸１３に組み付けられた折りブレード０４の先端部はサイクロイドを描く。この場合、胴ジャケット０１に関連した軸０９の偏心的な配置形式に基づいて、折りブレード０４はそのサイクロイド軌道の１箇所だけで、胴ジャケット０１のスリット０２を通って突出する。伝動装置群１９，２１，２２の伝達比は、伝動装置ユニット１２の各回転毎に、折りブレード軸１３がそれ自体を中心とした整数回の回転を行うように規定されている必要がある。図示のケースでは、伝達比は、不動に保持されていると仮定されるケーシング１７において、第２の歯車ディスク１９の１回転が、折りブレード０４のｎ＝３回転を駆動するように選択されている。
【００２１】
第１の歯車ディスク１８は、第１の歯車ディスク軸１６の軸方向のシフトにより、２つの位置の間でシフト可能である。第１の位置において、第１の歯車ディスク１８は、２つの歯車ディスク１８；１９の互いに面した端面に配置された歯列２３；２４を介して第２の歯車ディスク１９に結合されており、このようにして、折り機のフレームに関連して不動に保持される。この位置では、第１の歯車ディスク１８は、中間歯車２６と第２の折りブレード軸２８の歯車２７とから成る別の伝動装置群１８，２６，２７を駆動する。この状態において、第２の折りブレード軸２８の折りブレード０４は、第１の折りブレード軸１３の折りブレード０４と同じサイクロイド軌道上で運動する。この状態は、ストレート・ラン（Doppelproduktion）に相当する。
【００２２】
第１の歯車ディスク１８の第２の位置において、この第１の歯車ディスク１８は、該歯車ディスク１８の第２の端面に配置された歯列２９を介して、ケーシング１７と不動に固定された歯列３１に結合する。この位置では、第１の歯車ディスク１８はケーシング１７の回転に追従し、第２の折りブレード軸２８の折りブレード０４は、この折りブレード０４が折り胴から突出しない円形軌道上で運動する、即ち、折りブレード０４は胴に対して相対的には運動しない。この状態は、コレクト・ランに相当する。
【００２３】
歯列２９；３１は、均等に配置された多数の歯から成っており、これらの歯は、それぞれ小さな回転角度によってしか互いに隔てられていない多数の方向で、当該の歯列２９；３１の係合を可能にする。従って、第１の歯車ディスク１８が歯列３１に向かってシフトした場合に、歯列２９；３１の歯の先端が互いに当たっても、係合を可能にするためには、ケーシング１７の僅かな回動で足りる。これとは異なり、歯列２３；２４は図４から判るように、相互に関連してそれぞれ２つの歯車ディスク１８；１９の３方向でのみ係合を可能にするためには、不均等な長さを有しており且つ不均等な間隔で配置された少数の歯３２を有している。この構成により、歯車ディスク１８；１９間の結合が再度形成された場合に、一時的に停止された第２の折りブレード軸２８の折りブレード０４が、結合解除前と同じ位置を有しているということが保証される。このことにより、コレクト・ランからストレート・ラン（Einzelproduktion）へ切り換える際に、折り胴をまず最初に歯列２３；２４が係合状態にもたらされるまで、１区間大幅にゆっくりと回動させねばならないということが必要になってもよい。
【００２４】
歯３２は、それぞれ唯一の回転位置においてのみ係合が可能であるように配置されていてもよい。
【００２５】
伝動装置群１９，２１，２２；１８，２６，２７の伝達比が、歯車ディスク１８；１９１回転につき例えば折りブレード軸１３；２８のｎ＝４回転に相応する場合は、歯３２がｍ＝１，２又は４つの係合箇所を可能にするように配置されていてもよい。
【００２６】
折り部材０４の回転数の変更は調節装置を介して行われ、この調節装置は、支持体の回転軸０９，１４，１６、即ち特に軸ピンの軸０９若しくは軸区分１４又は１６に対して同軸的に配置されている。
【００２７】
折り胴の回転軸と、折り部材０４の支持体の回転軸０９，１４，１６とは、互いに偏心的に配置されている。折り部材０４は、支持体の回転軸０９，１４，１６に対して偏心的に配置された別の回転軸１３；２８に回転可能に配置されている。
【００２８】
説明した伝動装置の構成は、折りブレード０４の代わりに折りフラップ０４を有する折り胴、即ち折りフラップ胴にも使用可能である。
【図面の簡単な説明】
【００２９】
【図１】本発明を適用可能な折り胴の概略的な斜視図である。
【００３０】
【図２】折り胴の内部構造を示した、図１と同様の斜視図である。
【００３１】
【図３】図１に示した折り胴の伝動装置ユニットの概略図である。
【００３２】
【図４】歯車ディスクの正面図である。
【符号の説明】
【００３３】
０１  胴ジャケット、  ０２  スリット、  ０３  突出部、  ０４  折り部材、折りブレード、折りフラップ、  ０６  フランジ、  ０７  開口、  ０８  軸部、  ０９  軸、回転軸、  １１  アーム、  １２  伝動装置ユニット、  １３  第１の折りブレード軸、回転軸、  １４  軸区分、第２の歯車ディスク軸、回転軸、  １６  軸区分、  第１の歯車ディスク軸、回転軸、  １７  ケーシング、  １８  第１の歯車ディスク、  １９  第２の歯車ディスク、  ２１，２６  中間歯車、  ２２，２７  歯車、  ２３，２４  歯列、  ２８  第２の折りブレード軸、回転軸、  ２９，３１  歯列、  ３２  歯
【図１】
2005527443.tif 000003
【図２】
2005527443.tif 000004
【図３】
2005527443.tif 000005
【図４】
2005527443.tif 000006
【手続補正書】
【提出日】平成15年11月24日(2003.11.24)
【手続補正１】
【補正対象書類名】明細書
【補正対象項目名】０００４
【補正方法】変更
【補正の内容】
【０００４】
ドイツ連邦共和国特許第１９５１１０５４号明細書には、折り胴の折りブレードのための駆動装置が開示されており、この折りブレードの駆動は中心歯車を介して行われる。ドイツ連邦共和国特許第１２２２０８２号明細書に記載の回転折り装置の折りブレードは、調節伝動装置を用いて、軸方向でシフト可能な歯車を介して調節可能である。
英国特許第１０５９１５８号明細書に基づいて、支持体に配置された折りブレードを備えた折り機の折り胴が公知である。この場合、支持体の回転軸に対して同軸的に配置された歯車が設けられており、この歯車は、１運転形式において折り胴とは異なる回転数を有している。
【手続補正２】
【補正対象書類名】明細書
【補正対象項目名】０００５
【補正方法】変更
【補正の内容】
【０００５】
本発明の課題は、様々な運転形式を可能にする折り機の折り胴を提供することである。


【国際調査報告】
2005527443.tif 000007
2005527443.tif 000008
2005527443.tif 000009
2005527443.tif 000010
2005527443.tif 000011
2005527443.tif 000012
2005527443.tif 000013
2005527443.tif 000014
2005527443.tif 000015
2005527443.tif 000016